(57)【要約】    【課題】  小型の電気光学変調装置を使用することが可能で、低コスト化の容易な構造を有するプロジェクタを提供する。    【解決手段】  光源装置１１０と、第１レンズアレイ１２０と、第２レンズアレイ１３０と、重畳光学系１５０と、色分離導光光学系２００と、３つの電気光学変調装置４００Ｒ，４００Ｇ，４００Ｂと、投写光学系６００とを備えたプロジェクタにおいて、重畳光学系１５０は、第２レンズアレイ１３０と色分離導光光学系２００との間に配置された第１重畳レンズ１６０と、色分離導光光学系２００の中に配置された第２重畳レンズ１７０としての第１凸レンズ１７２及び第２凸レンズ１７４とを有することを特徴とするプロジェクタ。【選択図】  図１
2006163103.tif 000002
【特許請求の範囲】
【請求項１】
略平行な照明光束を射出する光源装置と、
前記光源装置からの照明光束を複数の部分光束に分割する複数の第１小レンズを有する
第１レンズアレイと、
前記複数の第１小レンズに対応する複数の第２小レンズを有する第２レンズアレイと、
前記第２レンズアレイからの各部分光束を被照明領域上で重畳する重畳光学系と、
前記第２レンズアレイからの光を複数の色光に分離して被照明領域に導光する色分離導
光光学系と、
前記色分離導光光学系で分離された複数の色光のそれぞれを画像情報に応じて変調する
複数の電気光学変調装置と、
前記複数の電気光学変調装置によって変調された色光を合成する色合成光学系と、
前記色合成光学系で合成された画像光を投写する投写光学系とを備えたプロジェクタに
おいて、
前記重畳光学系は、前記第２レンズアレイと前記色分離導光光学系との間に配置された
第１重畳レンズと、前記色分離導光光学系の中に配置された凸レンズを有する第２重畳レ
ンズとを有することを特徴とするプロジェクタ。
【請求項２】
請求項１に記載のプロジェクタにおいて、
前記色分離導光光学系は、前記第２レンズアレイからの光を第１の色光と第２の色光及
び第３の色光とに分離する第１ダイクロイックミラーと、前記第１ダイクロイックミラー
からの第２の色光及び第３の色光を第２の色光と第３の色光とに分離する第２ダイクロイ
ックミラーとを有し、
前記複数の電気光学変調装置として、前記第１〜第３の色光をそれぞれ変調する第１〜
第３の電気光学変調装置を備え、
前記第２重畳レンズとして、前記第１ダイクロイックミラーと前記第２ダイクロイック
ミラーとの間に配置された第１凸レンズと、前記第１ダイクロイックミラーと前記第１の
電気光学変調装置との間に配置された第２凸レンズとを有することを特徴とするプロジェ
クタ。
【請求項３】
請求項２に記載のプロジェクタにおいて、
前記第１凸レンズ及び前記第２凸レンズは、同一の焦点距離を有する凸レンズであるこ
とを特徴とするプロジェクタ。
【請求項４】
請求項２に記載のプロジェクタにおいて、
前記第１凸レンズ及び前記第２凸レンズのうち、相対的に長い波長の色光が通過する光
路に配置された凸レンズの曲率半径は、相対的に短い波長の色光が通過する光路に配置さ
れた凸レンズの曲率半径よりも小さいことを特徴とするプロジェクタ。
【請求項５】
請求項１〜４のいずれかに記載のプロジェクタにおいて、
前記第１レンズアレイ及び前記第２レンズアレイは、一体化されていることを特徴とす
るプロジェクタ。
【請求項６】
請求項１〜４のいずれかに記載のプロジェクタにおいて、
前記第１レンズアレイと前記第２レンズアレイとの間に、前記第１レンズアレイからの
光を前記第２レンズアレイに導くための透光部材を有し、前記第１レンズアレイ及び前記
第２レンズアレイが前記透光部材を介して接合されていることを特徴とするプロジェクタ
。
【請求項７】
請求項１〜６のいずれかに記載のプロジェクタにおいて、
前記光源装置は、楕円面リフレクタと、前記楕円面リフレクタの第１焦点近傍に発光中
心を有する発光管と、前記楕円面リフレクタで反射された集束光を略平行光にする平行化
レンズとを有することを特徴とするプロジェクタ。
【請求項８】
請求項７に記載のプロジェクタにおいて、
前記発光管には、前記発光管から被照明領域側に射出される光を前記楕円面リフレクタ
に向けて反射する反射手段が設けられていることを特徴とするプロジェクタ。
【請求項９】
請求項１〜８のいずれかに記載のプロジェクタにおいて、
前記第２レンズアレイと前記第１重畳レンズとの間には、前記光源装置からの照明光束
を１種類の直線偏光に揃えて射出する偏光変換素子が配置されていることを特徴とするプ
ロジェクタ。
【発明の詳細な説明】
【技術分野】
【０００１】
本発明はプロジェクタに関する。
【背景技術】
【０００２】
図７は、従来のプロジェクタ９００を説明するために示す図である。
従来のプロジェクタ９００は、放物面リフレクタ９１４及び放物面リフレクタ９１４の
焦点近傍に配置された発光管９１２を有し照明光束を射出する光源装置９１０と、光源装
置９１０からの照明光束を複数の部分光束に分割する複数の第１小レンズ９２１を有する
第１レンズアレイ９２０と、第１小レンズ９２１に対応する複数の第２小レンズ９３１を
有する第２レンズアレイ９３０と、入射光を１種類の直線偏光に変換する偏光変換素子９
４０と、偏光変換素子９４０からの各部分光束を被照明領域上で重畳する重畳レンズ９５
０とを有する照明装置９０２と、照明装置９０２からの光を３つの色光に分離して被照明
領域に導光する色分離導光光学系２００と、色分離導光光学系２００で分離された３つの
色光のそれぞれを画像情報に応じて変調する３つの電気光学変調装置４００Ｒ，４００Ｇ
，４００Ｂと、３つの電気光学変調装置４００Ｒ，４００Ｇ，４００Ｂによって変調され
た色光を合成するクロスダイクロイックプリズム５００と、クロスダイクロイックプリズ
ム５００によって合成された光を投写する投写光学系６００とを備えている（例えば、特
許文献１参照。）。
【０００３】
従来のプロジェクタ９００によれば、照明装置９０２は、第１レンズアレイ９２０、第
２レンズアレイ９３０及び重畳レンズ９５０の働きによって、光源装置９１０から射出さ
れた面内光強度分布の比較的不均一な光を、面内光強度分布の比較的均一な光に変換して
、照明対象である電気光学変調装置の液晶パネルに照射することができる。
【０００４】
【特許文献１】特開平８−３０４７３９号公報（図１１）
【発明の開示】
【発明が解決しようとする課題】
【０００５】
ところで、近年、プロジェクタの低コスト化のためにさらに小型の電気光学変調装置を
使用したいという要望が高まっている。
【０００６】
しかしながら、従来のプロジェクタ９００においては、小型の電気光学変調装置を使用
するからといって、照明装置９０２の大きさを小さくすると、照明効率の低下を招いたり
輝度ムラを生じさせてしまったりするおそれがあるため、照明装置９０２の大きさをそれ
程小さくすることはできない。また、色分離導光光学系２００についても同様にその大き
さをむやみに小さくすることはできない。
【０００７】
一方、被照明領域の大きさは、第１小レンズ９２１の大きさに、第２小レンズ９３１の
焦点距離ｆ１に対する重畳レンズ９５０の焦点距離ｆ２の比（＝ｆ２／ｆ１（拡大率））
を乗じたものである。しかしながら、照明装置９０２の大きさを小さくすることなく第１
小レンズ９２１の大きさを小さくすることは容易ではない。また、色分離導光光学系９０
０の大きさを小さくすることなく重畳レンズ９５０の焦点距離ｆ２を小さくすることも容
易ではない。さらにまた、第２小レンズ９３１の焦点距離ｆ１を大きくすると照明装置が
大型化してしまうためやはり好ましくない。このため、被照明領域の大きさを小さくする
のは容易ではなく、その結果、小型の電気光学変調装置を使用するのは容易ではないとい
う問題があった。
【０００８】
この問題は、液晶パネルを用いた電気光学変調装置だけに生ずる問題ではなく、他の電
気光学変調装置においても同様に生ずる問題でもある。
【０００９】
そこで、本発明は、このような問題を解決するためになされたもので、小型の電気光学
変調装置を使用することが可能で、低コスト化の容易な構造を有するプロジェクタを提供
することを目的とする。
【課題を解決するための手段】
【００１０】
本発明のプロジェクタは、略平行な照明光束を射出する光源装置と、前記光源装置から
の照明光束を複数の部分光束に分割する複数の第１小レンズを有する第１レンズアレイと
、前記複数の第１小レンズに対応する複数の第２小レンズを有する第２レンズアレイと、
前記第２レンズアレイからの各部分光束を被照明領域上で重畳する重畳光学系と、前記第
２レンズアレイからの光を複数の色光に分離して被照明領域に導光する色分離導光光学系
と、前記色分離導光光学系で分離された複数の色光のそれぞれを画像情報に応じて変調す
る複数の電気光学変調装置と、前記複数の電気光学変調装置によって変調された色光を合
成する色合成光学系と、前記色合成光学系で合成された画像光を投写する投写光学系とを
備えたプロジェクタにおいて、前記重畳光学系は、前記第２レンズアレイと前記色分離導
光光学系との間に配置された第１重畳レンズと、前記色分離導光光学系の中に配置された
凸レンズを有する第２重畳レンズとを有することを特徴とする。
【００１１】
このため、本発明のプロジェクタによれば、色分離導光光学系の中に凸レンズを有する
第２重畳レンズを配置することによって、色分離導光光学系の光路の長さを確保しながら
重畳光学系の焦点距離を小さくすることができるため、第２小レンズの焦点距離に対する
重畳光学系の焦点距離の比（すなわち拡大率）を小さなものにすることができる。その結
果、光源装置及び色分離導光光学系のサイズを小さくすることなく、第１小レンズの大き
さに対する被照明領域の大きさを小さくすることができるため、小型の電気光学変調装置
を用いることができ、ひいては低コスト化の容易なプロジェクタを提供することが可能に
なる。
【００１２】
また、本発明のプロジェクタによれば、上記したように、重畳光学系の焦点距離を小さ
くすることができるため、従来と同等の大きさの電気光学変調装置を用いた場合はもちろ
ん、従来よりも小型の電気光学変調装置を用いた場合においても、第２小レンズ（及び第
１小レンズ）の焦点距離を小さくすることが可能になる。このため、第１レンズアレイと
第２レンズアレイとの間の距離を短くすることが可能になり、プロジェクタの小型化を図
ることができる。
【００１３】
本発明のプロジェクタにおいては、前記色分離導光光学系は、前記第２レンズアレイか
らの光を第１の色光と第２の色光及び第３の色光とに分離する第１ダイクロイックミラー
と、前記第１ダイクロイックミラーからの第２の色光及び第３の色光を第２の色光と第３
の色光とに分離する第２ダイクロイックミラーとを有し、前記複数の電気光学変調装置と
して、前記第１〜第３の色光をそれぞれ変調する第１〜第３の電気光学変調装置を備え、
前記第２重畳レンズとして、前記第１ダイクロイックミラーと前記第２ダイクロイックミ
ラーとの間に配置された第１凸レンズと、前記第１ダイクロイックミラーと前記第１の電
気光学変調装置との間に配置された第２凸レンズとを有することが好ましい。
【００１４】
このように構成することにより、比較的スペースの余裕がある箇所に第１凸レンズ及び
第２凸レンズを配置することができるため、色分離導光光学系をそれほど大型化させるこ
ともない。このため、重畳光学系の焦点距離を効果的に短くすることができ、上記した拡
大率を小さなものにすることができる。
【００１５】
本発明のプロジェクタにおいては、前記第１凸レンズ及び前記第２凸レンズは、同一の
焦点距離を有する凸レンズであることが好ましい。
【００１６】
このように構成することにより、第１凸レンズ及び第２凸レンズとして、同一の凸レン
ズを用いることが可能になるため、プロジェクタにおける製造コストの低減を図ることが
可能となる。
【００１７】
本発明のプロジェクタにおいては、前記第１凸レンズ及び前記第２凸レンズのうち、相
対的に長い波長の色光が通過する光路に配置された凸レンズの曲率半径は、相対的に短い
波長の色光が通過する光路に配置された凸レンズの曲率半径よりも小さいことが好ましい
。
【００１８】
一般的に、レンズの屈折率には波長分散特性が存在し、相対的に長い波長の光における
屈折率は相対的に短い波長の光における屈折率よりも小さい。このため、相対的に長い波
長の光は、相対的に短い波長の光よりも屈折しにくいため、第１凸レンズと第２凸レンズ
の曲率半径を同じに設定すると、相対的に長い波長の光が入射する場合と相対的に短い波
長の光が入射する場合とで、形成される被照明領域の大きさが異なることになる。
しかしながら、上記のように構成することにより、相対的に長い波長の光は、相対的に
短い波長の光よりも、曲率半径の小さい凸レンズを通過することになるため、屈折のしに
くさが補償され、相対的に長い波長の光が入射する場合と相対的に短い波長の光が入射す
る場合とで、形成される被照明領域の大きさを同じにすることができるようになる。
このため、各色光に対応する電気光学変調装置毎に、同じ大きさの被照明領域が形成さ
れることになり、色光毎の照明状態が均一になり、色むらが低減し色再現性が向上する。
【００１９】
本発明は、前記第１レンズアレイ及び第２レンズアレイとして、第１レンズアレイ及び
第２レンズアレイが一体成形されたレンズアレイユニットを用いたプロジェクタに適用し
た場合に特に効果がある。
【００２０】
第１レンズアレイ及び第２レンズアレイが一体成形されたレンズアレイユニットは、通
常ガラスをプレス成形することにより製造される。この場合、第１レンズアレイと第２レ
ンズアレイとの間の距離が長いとレンズアレイユニットの厚さが厚くなるため、製造時に
割れや欠けが発生してしまうおそれがある。また、レンズアレイユニットの厚さが厚くな
ると、レンズアレイユニットの重量が増加してしまうし、材料費が嵩んでしまう。
【００２１】
これに対して、本発明のプロジェクタによれば、上記したように、重畳光学系の焦点距
離を小さくすることができるため、従来と同等の大きさの電気光学変調装置を用いた場合
はもちろん、従来よりも小型の電気光学変調装置を用いた場合においても、第２小レンズ
（及び第１小レンズ）の焦点距離を小さくすることが可能になる。このため、第１レンズ
アレイと第２レンズアレイとの間の距離を短くすることが可能になり、第１レンズアレイ
及び第２レンズアレイが一体成形された薄型のレンズアレイユニットを容易に製造するこ
とが可能になる。また、薄型のレンズアレイユニットをプロジェクタに用いることができ
ることから、プロジェクタの小型化を図ることができるとともに、レンズアレイユニット
の軽量化を図ることができ、材料費を削減することが可能になる。さらにまた、各種光学
部品を配置する際に、第１レンズアレイと第２レンズアレイとの位置合わせを行う必要が
なくなるとともに、各種光学部品を配置した後においては、第１レンズアレイ及び第２レ
ンズアレイの位置精度が劣化するのを抑制することができるようになる。
【００２２】
本発明は、前記第１レンズアレイ及び第２レンズアレイとして、前記第１レンズアレイ
と前記第２レンズアレイとの間に、前記第１レンズアレイからの光を前記第２レンズアレ
イに導くための透光部材を有し、前記第１レンズアレイ及び前記第２レンズアレイが前記
透光部材を介して接合されたレンズアレイユニットを用いたプロジェクタに適用した場合
にも効果がある。
【００２３】
プロジェクタの小型化のためには、上記のようなレンズアレイユニットについても、レ
ンズアレイユニットの軽量化及び材料費の削減のため、透光部材を薄くしたいという要請
がある。
【００２４】
この場合、本発明のプロジェクタによれば、上記したように、重畳光学系の焦点距離を
小さくすることができるため、従来と同等の大きさの電気光学変調装置を用いた場合はも
ちろん、従来よりも小型の電気光学変調装置を用いた場合においても、第２小レンズ（及
び第１小レンズ）の焦点距離を小さくすることが可能になる。このため、第１レンズアレ
イと第２レンズアレイとの間の距離を短くすることが可能になり、透光部材を薄くしたレ
ンズアレイユニットを容易に製造することが可能になる。また、薄型のレンズアレイユニ
ットをプロジェクタに用いることができることから、プロジェクタの小型化を図ることが
できるとともに、レンズアレイユニットの軽量化を図ることができ、材料費を削減するこ
とが可能になる。さらにまた、各種光学部品を配置する際に、前もって第１レンズアレイ
と第２レンズアレイとを位置合わせした上で透光部材と接合しておくことにより、この第
１レンズアレイ及び第２レンズアレイを有するレンズアレイユニットと他の光学部品との
位置を調整するだけでよくなるため、このレンズアレイユニットを含めた各種光学部品の
位置合わせ作業を容易に行うことができるようになるとともに、各種光学部品を配置した
後においては、第１レンズアレイ及び第２レンズアレイの位置精度が劣化するのを抑制す
ることができるようになる。
【００２５】
上記した本発明のプロジェクタにおいては、前記透光部材は、前記第１レンズアレイ及
び前記第２レンズアレイとほぼ等しい屈折率を有することが好ましい。
さらには、前記第１レンズアレイと透光部材及び透光部材と前記第２レンズアレイとを
それぞれ接合するための接着剤も、前記第１レンズアレイ及び前記第２レンズアレイとほ
ぼ等しい屈折率を有することが好ましい。
【００２６】
このように構成することにより、第１レンズアレイ及び第２レンズアレイのそれぞれと
透光部材との界面における光の反射等をさらに抑制することが可能となるため、そのよう
な望ましくない反射等による光量の損失をより一層低減することができるようになる。
【００２７】
また、上記した本発明のプロジェクタにおいては、前記透光部材は、前記第１レンズア
レイ及び前記第２レンズアレイとほぼ等しい線膨張係数を有することが好ましい。
【００２８】
このように構成することにより、プロジェクタの使用による温度変化に伴う熱応力の発
生を抑制することが可能となるため、第１レンズアレイ及び第２レンズアレイと透光部材
との接合部分における損傷を抑制することができるようになる。
【００２９】
これらより、上記した本発明のプロジェクタにおいては、前記透光部材は、前記第１レ
ンズアレイ及び前記第２レンズアレイと同一の基材からなることが好ましい。
【００３０】
本発明のプロジェクタにおいては、前記光源装置は、楕円面リフレクタと、前記楕円面
リフレクタの第１焦点近傍に発光中心を有する発光管と、前記楕円面リフレクタで反射さ
れた集束光を略平行光にする平行化レンズとを有することが好ましい。
【００３１】
このように構成することにより、光源装置からは楕円面リフレクタの大きさよりも小さ
な平行光束が射出されるようになるため、プロジェクタの小型化を図ることができる。
【００３２】
本発明のプロジェクタにおいては、前記発光管には、前記発光管から被照明領域側に射
出される光を前記楕円面リフレクタに向けて反射する反射手段が設けられていることが好
ましい。
【００３３】
このように構成することにより、発光管から被照明領域側に放射される光が楕円面リフ
レクタに向けて反射されるようになるため、発光管の被照明領域側端部を覆うような大き
さに楕円面リフレクタの大きさを設定することを必要とせず、楕円面リフレクタの小型化
を図ることができ、結果としてプロジェクタの小型化を図ることができる。
【００３４】
本発明のプロジェクタにおいては、前記第２レンズアレイと前記第１重畳レンズとの間
には、前記光源装置からの照明光束を１種類の直線偏光に揃えて射出する偏光変換素子が
配置されていることが好ましい。
【００３５】
このように構成することにより、本発明のプロジェクタは、偏光光を変調するタイプの
電気光学変調装置、例えば液晶パネルを用いた電気光学変調装置を備えたプロジェクタに
特に適合したものになる。
【発明を実施するための最良の形態】
【００３６】
以下、本発明のプロジェクタについて、図に示す実施の形態に基づいて説明する。
【００３７】
〔実施形態１〕
図１は、実施形態１に係るプロジェクタ１０００の光学系を示す図である。
なお、以下の説明においては、互いに直交する３つの方向をそれぞれｚ軸方向（図１に
おける光源光軸１１０ａｘ方向）、ｘ軸方向（図１における紙面に平行かつｚ軸に直交す
る方向）及びｙ軸方向（図１における紙面に垂直かつｚ軸に直交する方向）とする。
【００３８】
実施形態１に係るプロジェクタ１０００は、略平行な照明光束を射出する光源装置１１
０と、光源装置１１０からの照明光束を複数の部分光束に分割する複数の第１小レンズ１
２１を有する第１レンズアレイ１２０と、複数の第１小レンズ１２１に対応する複数の第
２小レンズ１３１を有する第２レンズアレイ１３０と、光源装置１１０からの照明光束を
１種類の直線偏光に揃えて射出する偏光変換素子１４０と、偏光変換素子１４０からの各
部分光束を被照明領域上で重畳する第１重畳レンズ１６０及び第２重畳レンズ１７０を有
する重畳光学系１５０と、重畳光学系１５０の第１重畳レンズ１６０からの光を３つの色
光に分離して被照明領域に導光する色分離導光光学系２００と、色分離導光光学系２００
で分離された３つの色光のそれぞれを画像情報に応じて変調する３つの電気光学変調装置
４００Ｒ，４００Ｇ，４００Ｂと、電気光学変調装置４００Ｒ，４００Ｇ，４００Ｂによ
って変調された色光を合成する色合成光学系としてのクロスダイクロイックプリズム５０
０と、クロスダイクロイックプリズム５００によって合成された光をスクリーンＳＣＲ等
の投写面に投写する投写光学系６００とを備えたプロジェクタである。
【００３９】
光源装置１１０は、図１に示すように、楕円面リフレクタ１１４と、楕円面リフレクタ
１１４の第１焦点近傍に発光中心を有する発光管１１２と、楕円面リフレクタ１１４で反
射された集束光を略平行光にする平行化レンズ１１８とを有している。発光管１１２には
、発光管１１２から被照明領域側に射出される光を楕円面リフレクタ１１４に向けて反射
する反射手段としての補助ミラー１１６が設けられている。
【００４０】
第１レンズアレイ１２０は、ｚ軸方向から見て略矩形状の輪郭を有する第１小レンズ１
２１がｚ軸に垂直な面内に配列された構成を有する。各第１小レンズ１２１は、光源装置
１１０から射出される光束を複数の部分光束に分割する。各第１小レンズ１２１の輪郭形
状は、電気光学変調装置４００Ｒ，４００Ｇ，４００Ｂの画像形成領域の形状とほぼ相似
形をなすように設定されている。例えば、電気光学変調装置４００Ｒ，４００Ｇ，４００
Ｂの画像形成領域のアスペクト比（横と縦の寸法の比率）が４：３であるならば、各第１
小レンズ１２１のアスペクト比も４：３に設定する。
【００４１】
第２レンズアレイ１３０は、第１レンズアレイ１２０と略同様な構成を有し、第２小レ
ンズ１３１がｚ軸に垂直な面内に配列された構成を有する。この第２レンズアレイ１３０
は、重畳光学系１５０とともに、第１レンズアレイ１２０の各第１小レンズ１２１の像を
電気光学変調装置４００Ｒ，４００Ｇ，４００Ｂ上に結像させる機能を有する。
【００４２】
重畳光学系１５０は、第２レンズアレイ１３０と色分離導光光学系２００の第１ダイク
ロイックミラー２１０との間に配置された第１重畳レンズ１６０と、色分離導光光学系２
００の中に配置された凸レンズを有する第２重畳レンズ１７０とを有している。第２重畳
レンズ１７０は、第１ダイクロイックミラー２１０と第２ダイクロイックミラー２２０と
の間に配置された第１凸レンズ１７２と、第１ダイクロイックミラー２１０と第１の電気
光学変調装置４００Ｒ（反射ミラー２３０）との間に配置された第２凸レンズ１７４とを
有している。
【００４３】
色分離導光光学系２００は、第１重畳レンズ１６０から射出された照明光束を、第１の
色光としての赤色光、第２の色光としての緑色光及び第３の色光としての青色光の３つの
色光に分離してそれぞれの色光を照明対象となる第１〜第３の電気光学変調装置４００Ｒ
，４００Ｇ，４００Ｂに導く機能を有している。第１ダイクロイックミラー２１０は、赤
色光を反射するとともに、緑色光及び青色光を透過させる。第１ダイクロイックミラー２
１０で反射された赤色光は、第２凸レンズ１７４を通過し、反射ミラー２３０でさらに反
射され、フィールドレンズ２８０Ｒを通過して赤色光用の第１の電気光学変調装置４００
Ｒを照明する。
【００４４】
フィールドレンズ２８０Ｒは、重畳光学系１５０からの複数の部分光束がそれぞれ赤色
光用の電気光学変調装置４００Ｒを照明するように集光する。通常、各部分光束が、それ
ぞれ略平行な光束となるように設定されている。他の第２の電気光学変調装置４００Ｇ及
び第３の電気光学変調装置４００Ｂの前に配設されたフィールドレンズ２８０Ｇ，２８０
Ｂも、フィールドレンズ２８０Ｒと同様に構成されている。
【００４５】
第１ダイクロイックミラー２１０を通過した緑色光及び青色光は、第１凸レンズ１７２
を通過することとなる。そして、第１凸レンズ１７２を通過した緑色光は、第２ダイクロ
イックミラー２２０によって反射され、フィールドレンズ２８０Ｇを通過して緑色光用の
第２の電気光学変調装置４００Ｇを照明する。一方、第１凸レンズ１７２を通過した青色
光は、第２ダイクロイックミラー２２０を透過し、リレーレンズ２６０、入射側の反射ミ
ラー２４０、リレーレンズ２７０、射出側の反射ミラー２５０及びフィールドレンズ２８
０Ｂを通過して青色光用の第３の電気光学変調装置４００Ｂを照明する。なお、青色光に
リレーレンズ２６０，２７０及び反射ミラー２４０，２５０が用いられているのは、青色
光の光路の長さが他の色光の光路の長さよりも長いため、光の発散等による光の利用効率
の低下を防止するためである。すなわち、リレーレンズ２６０に入射した部分光束をその
まま、フィールドレンズ２８０Ｂに伝えるためである。なお、リレーレンズ２６０，２７
０及び反射ミラー２４０，２５０には、３つの色光のうちの青色光を通す構成としたが、
赤色光等のその他の色光を通す構成としてもよい。
【００４６】
第１〜第３の電気光学変調装置４００Ｒ，４００Ｇ，４００Ｂは、入射した照明光束を
画像情報に応じて変調するものであり、光源装置１１０の照明対象となる。なお、図示を
省略したが、色分離導光光学系２００と各電気光学変調装置４００Ｒ，４００Ｇ，４００
Ｂとの間には、それぞれ入射側偏光板が介在配置され、各電気光学変調装置４００Ｒ，４
００Ｇ，４００Ｂとクロスダイクロイックプリズム５００との間には、それぞれ射出側偏
光板が介在配置されている。そして、入射側偏光板、電気光学変調装置４００Ｒ，４００
Ｇ，４００Ｂ、及び射出側偏光板によって入射する各色光の光変調が行われる。
第１〜第３の電気光学変調装置４００Ｒ，４００Ｇ，４００Ｂは、一対の透明なガラス
基板に電気光学物質である液晶を密閉封入したものであり、例えば、ポリシリコンＴＦＴ
をスイッチング素子として、与えられた画像情報に応じて、入射側偏光板から射出された
１種類の直線偏光の偏光方向を変調する。
【００４７】
クロスダイクロイックプリズム５００は、射出側偏光板から射出された各色光毎に変調
された光学像を合成してカラー画像を形成する光学素子である。このクロスダイクロイッ
クプリズム５００は、４つの直角プリズムを貼り合わせた平面視略正方形状をなし、直角
プリズム同士を貼り合わせた略Ｘ字状の界面には、誘電体多層膜が形成されている。略Ｘ
字状の一方の界面に形成された誘電体多層膜は、赤色光を反射するものであり、他方の界
面に形成された誘電体多層膜は、青色光を反射するものであり、これらの誘電体多層膜に
よって赤色光及び青色光は反射され、緑色光の進行方向と揃えられることにより、３つの
色光が合成される。
【００４８】
クロスダイクロイックプリズム５００から射出されたカラー画像は、投写光学系６００
によって拡大投写され、スクリーンＳＣＲ上で大画面画像を形成する。
【００４９】
図２は、実施形態１に係るプロジェクタ１０００の効果を説明するために示す図である
。図２（ａ）は比較例に係るプロジェクタ１０００ａにおける第１レンズアレイ１２０の
焦点距離と重畳レンズ１６０ａの焦点距離との関係を示す図であり、図２（ｂ）は比較例
に係るプロジェクタ１０００ａにおける重畳レンズ１６０ａの焦点距離を示す図であり、
図２（ｃ）は実施形態１に係るプロジェクタ１０００における重畳光学系１５０の焦点距
離を示す図である。ただし、図２（ａ）〜図２（ｃ）においては、説明を簡潔にするため
に、赤色光、緑色光及び青色光のうち緑色光の光路について図示するとともに、緑色光の
光路に配置されたフィールドレンズ２８０Ｇ及び電気光学変調装置４００Ｇを図示し、第
２ダイクロイックミラー２２０の図示を省略している。
【００５０】
実施形態１に係るプロジェクタ１０００は、上記したように、重畳光学系１５０として
、第２レンズアレイ１３０と色分離導光光学系２００との間に配置された第１重畳レンズ
１６０と、色分離導光光学系２００の中に配置された第２重畳レンズ１７０としての第１
凸レンズ１７２及び第２凸レンズ１７４とを有するプロジェクタである。
これに対して、比較例に係るプロジェクタ１０００ａ（図示せず。）は、実施形態１に
係るプロジェクタ１０００のような重畳光学系１５０は備えておらず、第２レンズアレイ
１３０の後段に重畳レンズ１６０ａのみを備えたプロジェクタである。
【００５１】
比較例に係るプロジェクタ１０００ａにおいては、図２（ａ）及び図２（ｂ）に示すよ
うに、重畳レンズ１６０ａの焦点距離ｆ２が比較的大きなものであるのに対し、実施形態
１に係るプロジェクタ１０００においては、図２（ｃ）に示すように、第１凸レンズ１７
２の作用により、重畳光学系１５０としての焦点距離ｆ３を小さなものとすることができ
る。
【００５２】
すなわち、実施形態１に係るプロジェクタ１０００によれば、色分離導光光学系２００
の光路の長さを確保しながら、第２小レンズ１３１の焦点距離ｆ１を変えずに従来のプロ
ジェクタの場合よりも重畳光学系１５０の焦点距離ｆ３を小さくすることができるため、
第２小レンズ１３１の焦点距離ｆ１に対する重畳光学系１５０の焦点距離ｆ３の比（すな
わち拡大率）を小さなものにすることができる。ここで、上述したように、被照明領域の
大きさは、第１小レンズ１２１の大きさに、第２小レンズ１３１の焦点距離ｆ１に対する
重畳光学系１５０の焦点距離ｆ３の比（＝ｆ３／ｆ１（拡大率））を乗じたものであるか
ら、光源装置１１０及び色分離導光光学系２００のサイズを小さくすることなく、第１小
レンズ１２１の大きさに対する被照明領域の大きさを小さくすることができるため、小型
の電気光学変調装置を用いることができ、ひいては低コスト化の容易なプロジェクタを提
供することが可能になる。
【００５３】
また、実施形態１に係るプロジェクタ１０００によれば、上記したように、重畳光学系
１５０の焦点距離ｆ３を小さくすることができるため、従来と同等の大きさの電気光学変
調装置を用いた場合はもちろん、従来よりも小型の電気光学変調装置を用いた場合におい
ても、第２小レンズ１３１（及び第１小レンズ１２１）の焦点距離ｆ１を小さくすること
が可能になる。このため、第１レンズアレイ１２０と第２レンズアレイ１３０との間の距
離を短くすることが可能になり、プロジェクタの小型化を図ることができる。
【００５４】
実施形態１に係るプロジェクタ１０００においては、色分離導光光学系２００は、第１
ダイクロイックミラー２１０と、第２ダイクロイックミラー２２０とを有している。また
、実施形態１に係るプロジェクタ１０００は、上記した第１〜第３の電気光学変調装置４
００Ｒ，４００Ｇ，４００Ｂを備え、第２重畳レンズ１７０として、第１凸レンズ１７２
及び第２凸レンズ１７４を有している。
【００５５】
このため、実施形態１に係るプロジェクタ１０００においては、比較的スペースの余裕
がある箇所に第１凸レンズ１７２及び第２凸レンズ１７４を配置することができるため、
色分離導光光学系２００をそれほど大型化させることもない。このため、重畳光学系１５
０の焦点距離を効果的に短くすることができ、上記した拡大率を小さなものにすることが
できる。
【００５６】
実施形態１に係るプロジェクタ１０００においては、第１凸レンズ１７２及び第２凸レ
ンズ１７４は、同一の焦点距離を有する凸レンズである。
【００５７】
このため、実施形態１に係るプロジェクタ１０００においては、第１凸レンズ１７２及
び第２凸レンズ１７４として、同一の凸レンズを用いることが可能になるため、プロジェ
クタにおける製造コストの低減を図ることが可能となる。
【００５８】
実施形態１に係るプロジェクタ１０００においては、光源装置１１０は、楕円面リフレ
クタ１１４と、楕円面リフレクタ１１４の第１焦点近傍に発光中心を有する発光管１１２
と、楕円面リフレクタ１１４で反射された集束光を略平行光にする平行化レンズ１１８と
を有している。
【００５９】
このため、実施形態１に係るプロジェクタ１０００においては、光源装置１１０からは
楕円面リフレクタ１１４の大きさよりも小さな平行光束が射出されるようになるため、プ
ロジェクタの小型化を図ることができる。
【００６０】
実施形態１に係るプロジェクタ１０００においては、発光管１１２には、発光管１１２
から被照明領域側に射出される光を楕円面リフレクタ１１４に向けて反射する反射手段と
しての補助ミラー１１６が設けられている。
【００６１】
このため、実施形態１に係るプロジェクタ１０００においては、発光管１１２から被照
明領域側に放射される光が楕円面リフレクタ１１４に向けて反射されるようになるため、
発光管１１２の被照明領域側端部を覆うような大きさに楕円面リフレクタ１１４の大きさ
を設定することを必要とせず、楕円面リフレクタの小型化を図ることができ、結果として
プロジェクタの小型化を図ることができる。
【００６２】
実施形態１に係るプロジェクタ１０００においては、第２レンズアレイ１３０と第１重
畳レンズ１６０との間には、光源装置１１０からの照明光束を１種類の直線偏光に揃えて
射出する偏光変換素子１４０が配置されている。
【００６３】
このため、実施形態１に係るプロジェクタ１０００は、液晶パネルを用いた電気光学変
調装置を備えたプロジェクタに特に適合したものになる。
【００６４】
〔実施形態２〕
図３は、実施形態２に係るプロジェクタ１００２の光学系を示す図である。
実施形態２に係るプロジェクタ１００２は、図３に示すように、実施形態１に係るプロ
ジェクタ１０００とは基本的に同様の構成を有しているが、色分離導光光学系２００に対
する光源装置１１０から第１重畳レンズ１６０までの位置関係が、実施形態１に係るプロ
ジェクタ１０００の場合と異なっている。
【００６５】
このように、実施形態２に係るプロジェクタ１００２は、実施形態１に係るプロジェク
タ１０００とは、色分離導光光学系に対する光源装置から第１重畳レンズまでの位置関係
が異なるが、実施形態１に係るプロジェクタ１０００の場合と同様に、色分離導光光学系
２００の光路の長さを確保しながら、第２小レンズ１３１の焦点距離を変えずに従来のプ
ロジェクタの場合よりも重畳光学系１５０の焦点距離を小さくすることができる。その結
果、光源装置１１０及び色分離導光光学系２００のサイズを小さくすることなく、第１小
レンズ１２１の大きさに対する被照明領域の大きさを小さくすることができるため、小型
の電気光学変調装置を用いることができ、ひいては低コスト化の容易なプロジェクタを提
供することが可能になる。
【００６６】
また、実施形態２に係るプロジェクタ１００２によれば、上記したように、重畳光学系
１５０の焦点距離を小さくすることができるため、従来と同等の大きさの電気光学変調装
置を用いた場合はもちろん、従来よりも小型の電気光学変調装置を用いた場合においても
、第２小レンズ１２１（及び第１小レンズ）の焦点距離を小さくすることが可能になる。
このため、第１レンズアレイ１２０と第２レンズアレイ１３０との間の距離を短くするこ
とが可能になり、プロジェクタの小型化を図ることができる。
【００６７】
〔実施形態３〕
図４は、実施形態３に係るプロジェクタ１００４の光学系を示す図である。
実施形態３に係るプロジェクタ１００４は、図４に示すように、実施形態１に係るプロ
ジェクタ１０００とは基本的に同様の構成を有しているが、第１レンズアレイ及び第２レ
ンズアレイの構成が、実施形態１に係るプロジェクタ１０００の場合と異なっている。
すなわち、実施形態３に係るプロジェクタ１００４においては、図４に示すように、第
１レンズアレイ１２０ａ及び第２レンズアレイ１３０ａが一体成形されたレンズアレイユ
ニット１２２を用いている。
【００６８】
第１レンズアレイ１２０ａ及び第２レンズアレイ１３０ａが一体成形されたレンズアレ
イユニット１２２は、通常ガラスをプレス成形することにより製造される。この場合、第
１レンズアレイ１２０ａと第２レンズアレイ１３０ａとの間の距離が長いとレンズアレイ
ユニット１２２の厚さが厚くなるため、製造時に割れや欠けが発生してしまうおそれがあ
る。また、レンズアレイユニット１２２の厚さが厚くなると、レンズアレイユニット１２
２の重量が増加してしまうし、材料費が嵩んでしまう。
【００６９】
これに対して、実施形態３に係るプロジェクタ１００４によれば、実施形態１に係るプ
ロジェクタ１０００の場合と同様に、重畳光学系１５０の焦点距離を小さくすることがで
きるため、従来と同等の大きさの電気光学変調装置を用いた場合はもちろん、従来よりも
小型の電気光学変調装置を用いた場合においても、第２小レンズ１３１ａ（及び第１小レ
ンズ１２１ａ）の焦点距離を小さくすることが可能になる。このため、第１レンズアレイ
１２０ａと第２レンズアレイ１３０ａとの間の距離を短くすることが可能になり、第１レ
ンズアレイ１２０ａ及び第２レンズアレイ１３０ａが一体成形された薄型のレンズアレイ
ユニット１２２を容易に製造することが可能になる。また、薄型のレンズアレイユニット
１２２をプロジェクタ１００４に用いることができることから、プロジェクタ１００４の
小型化を図ることができるとともに、レンズアレイユニット１２２の軽量化を図ることが
でき、材料費を削減することが可能になる。さらにまた、各種光学部品を配置する際に、
第１レンズアレイ１２０ａと第２レンズアレイ１３０ａとの位置合わせを行う必要がなく
なるとともに、各種光学部品を配置した後においては、第１レンズアレイ１２０ａ及び第
２レンズアレイ１３０ａの位置精度が劣化するのを抑制することができるようになる。
【００７０】
〔実施形態４〕
図５は、実施形態４に係るプロジェクタ１００６の光学系を示す図である。
実施形態４に係るプロジェクタ１００６は、図５に示すように、実施形態１に係るプロ
ジェクタ１０００とは基本的に同様の構成を有しているが、第１レンズアレイ及び第２レ
ンズアレイの構成が、実施形態１に係るプロジェクタ１０００の場合と異なっている。
すなわち、実施形態４に係るプロジェクタ１００６においては、図５に示すように、第
１レンズアレイ１２０ｂと第２レンズアレイ１３０ｂとの間に、第１レンズアレイ１２０
ｂからの光を第２レンズアレイ１３０ｂに導くための透光部材１２６を有し、第１レンズ
アレイ１２０ｂ及び第２レンズアレイ１３０ｂが透光部材１２６を介して接合されたレン
ズアレイユニット１２４を用いている。
【００７１】
プロジェクタの小型化のためには、上記のような第１レンズアレイ１２０ｂ及び第２レ
ンズアレイ１３０ｂが透光部材１２６を介して接合されたレンズアレイユニット１２４に
ついても、レンズアレイユニット１２４の軽量化及び材料費の削減のため、透光部材１２
６を薄くしたいという要請がある。
【００７２】
この場合、実施形態４に係るプロジェクタ１００６によれば、実施形態１に係るプロジ
ェクタ１０００の場合と同様に、重畳光学系１５０の焦点距離を小さくすることができる
ため、従来と同等の大きさの電気光学変調装置を用いた場合はもちろん、従来よりも小型
の電気光学変調装置を用いた場合においても、第２小レンズ１３１ｂ（及び第１小レンズ
１２１ｂ）の焦点距離を小さくすることが可能になる。このため、第１レンズアレイ１２
０ｂと第２レンズアレイ１３０ｂとの間の距離を短くすることが可能になり、透光部材１
２６を薄くしたレンズアレイユニット１２４を容易に製造することが可能になる。また、
薄型のレンズアレイユニット１２４をプロジェクタ１００６に用いることができることか
ら、プロジェクタ１００６の小型化を図ることができるとともに、レンズアレイユニット
１２４の軽量化を図ることができ、材料費を削減することが可能になる。さらにまた、各
種光学部品を配置する際に、前もって第１レンズアレイ１２０ｂと第２レンズアレイ１３
０ｂとを位置合わせした上で透光部材１２６と接合しておくことにより、この第１レンズ
アレイ１２０ｂ及び第２レンズアレイ１３０ｂを有するレンズアレイユニット１２４と他
の光学部品との位置を調整するだけでよくなるため、このレンズアレイユニット１２４を
含めた各種光学部品の位置合わせ作業を容易に行うことができるようになるとともに、各
種光学部品を配置した後においては、第１レンズアレイ１２０ｂ及び第２レンズアレイ１
３０ｂの位置精度が劣化するのを抑制することができるようになる。
【００７３】
実施形態４に係るプロジェクタ１００６においては、透光部材１２６は、第１レンズア
レイ１２０ｂ及び第２レンズアレイ１３０ｂと同一の基材から構成されている。
すなわち、実施形態４に係るプロジェクタ１００６においては、透光部材１２６は、第
１レンズアレイ１２０ｂ及び第２レンズアレイ１３０ｂと等しい屈折率を有している。ま
た、第１レンズアレイ１２０ｂと透光部材１２６及び透光部材１２６と第２レンズアレイ
１３０ｂとをそれぞれ接合するための接着剤１２８も、第１レンズアレイ１２０ｂ及び第
２レンズアレイ１３０ｂとほぼ等しい屈折率を有している。
【００７４】
このため、実施形態４に係るプロジェクタ１００６によれば、第１レンズアレイ１２０
ｂ及び第２レンズアレイ１３０ｂのそれぞれと透光部材１２６との界面における光の反射
等をさらに抑制することが可能となるため、そのような望ましくない反射等による光量の
損失をより一層低減することができるようになる。
【００７５】
また、実施形態４に係るプロジェクタ１００６においては、透光部材１２６は、第１レ
ンズアレイ１２０ｂ及び第２レンズアレイ１３０ｂと等しい線膨張係数を有している。
【００７６】
このため、実施形態４に係るプロジェクタ１００６によれば、プロジェクタの使用によ
る温度変化に伴う熱応力の発生を抑制することが可能となるため、第１レンズアレイ１２
０ｂ及び第２レンズアレイ１３０ｂと透光部材１２６との接合部分における損傷を抑制す
ることができるようになる。
【００７７】
〔実施形態５〕
図６は、実施形態５に係るプロジェクタ１００８の光学系を示す図である。
実施形態５に係るプロジェクタ１００８は、図６に示すように、実施形態１に係るプロ
ジェクタ１０００とは基本的に同様の構成を有しているが、重畳光学系の構成が、実施形
態１に係るプロジェクタ１０００の場合と異なっている。
すなわち、実施形態１に係るプロジェクタ１０００は、重畳光学系１５０として、第１
凸レンズ１７２及び第２凸レンズ１７４が同一の焦点距離を有する凸レンズであるのに対
し、実施形態５に係るプロジェクタ１００８は、重畳光学系１５０ａとして、第１凸レン
ズ１７２ａ及び第２凸レンズ１７４ａが異なる焦点距離を有する凸レンズである。第１凸
レンズ１７２ａ及び第２凸レンズ１７４ａのうち、相対的に長い波長の色光（すなわち赤
色光）が通過する光路に配置された第２凸レンズ１７４ａの曲率半径は、相対的に短い波
長の色光（すなわち青色光）が通過する光路に配置された第１凸レンズ１７２ａの曲率半
径よりも小さい。
【００７８】
一般的に、レンズの屈折率には波長分散特性が存在し、相対的に長い波長の光における
屈折率は相対的に短い波長の光における屈折率よりも小さい。このため、相対的に長い波
長の光は、相対的に短い波長の光よりも屈折しにくいため、第１凸レンズと第２凸レンズ
の曲率半径を同じに設定すると、相対的に長い波長の光が入射する場合と相対的に短い波
長の光が入射する場合とで、形成される被照明領域の大きさが異なることになる。
しかしながら、実施形態５に係るプロジェクタ１００８によれば、赤色光は、曲率半径
の小さい第２凸レンズ１７４ａを通過することになるため、屈折のしにくさが補償され、
相対的に長い波長の光が入射する場合と相対的に短い波長の光が入射する場合とで、形成
される被照明領域の大きさを同じにすることができるようになる。
このため、各色光に対応する電気光学変調装置４００Ｒ，４００Ｇ，４００Ｂ毎に、同
じ大きさの被照明領域が形成されることになり、色光毎の照明状態が均一になり、色むら
が低減し色再現性が向上する。
【００７９】
以上、本発明のプロジェクタを上記の各実施形態に基づいて説明したが、本発明は上記
の各実施形態に限定されるものではなく、その要旨を逸脱しない範囲において種々の態様
において実施することが可能であり、例えば次のような変形も可能である。 
【００８０】
（１）上記各実施形態のプロジェクタ１０００〜１００８は、第２凸レンズ１７４，１７
４ａを通過する色光としては、赤色光の場合を例示して説明したが、本発明はこれに限定
されるものではない。第２凸レンズ１７４，１７４ａを通過する色光としては、青色光で
あってもよい。
【００８１】
（２）上記各実施形態のプロジェクタ１０００〜１００８は透過型のプロジェクタである
が、これに限定されるものではない。本発明は反射型のプロジェクタにも適用することが
可能である。ここで、「透過型」とは、透過型の電気光学変調装置等のように光変調手段
としての電気光学変調装置が光を透過するタイプであることを意味しており、「反射型」
とは、反射型電気光学変調装置のように光変調手段としての電気光学変調装置が光を反射
するタイプであることを意味している。反射型のプロジェクタにこの発明を適用した場合
にも、透過型のプロジェクタと同様の効果を得ることができる。 
【００８２】
（３）上記各実施形態のプロジェクタ１０００〜１００８は、電気光学変調装置として液
晶パネルを用いた電気光学変調装置を用いているが、本発明はこれに限定されるものでは
ない。電気光学変調装置としては、一般に、入射光を画像情報に応じて変調するものであ
ればよく、マイクロミラー型光変調装置などを利用してもよい。マイクロミラー型光変調
装置としては、例えば、ＤＭＤ（デジタルマイクロミラーデバイス）（ＴＩ社の商標）を
用いることができる。 
【００８３】
（４）上記各実施形態のプロジェクタ１０００〜１００８は、光源装置１１０として、楕
円面リフレクタ１１４と、楕円面リフレクタ１１４の第１焦点近傍に発光中心を有する発
光管１１２と、楕円面リフレクタ１１４で反射された集束光を略平行光にする平行化レン
ズ１１８とを有する光源装置を用いたが、本発明はこれに限定されるものではなく、放物
面リフレクタと、放物面リフレクタの焦点近傍に発光中心を有する発光管とを有する光源
装置をも好ましく用いることができる。
【００８４】
（５）この他、本発明は、投写画像を観察する側から投写するフロント投写型プロジェク
タにも、投写画像を観察する側とは反対の側から投写するリア投写型プロジェクタにも適
用できることはいうまでもない。
【図面の簡単な説明】
【００８５】
【図１】実施形態１に係るプロジェクタ１０００の光学系を示す図。
【図２】実施形態１に係るプロジェクタ１０００の効果を説明するために示す図。
【図３】実施形態２に係るプロジェクタ１００２の光学系を示す図。
【図４】実施形態３に係るプロジェクタ１００４の光学系を示す図。
【図５】実施形態４に係るプロジェクタ１００６の光学系を示す図。
【図６】実施形態５に係るプロジェクタ１００８の光学系を示す図。
【図７】従来のプロジェクタ９００を説明するために示す図。
【符号の説明】
【００８６】
１１０，９１０…光源装置、１１２，９１２…発光管、１１４…楕円面リフレクタ、１１
６…補助ミラー、１１８…平行化レンズ、１２０，１２０ａ，１２０ｂ，９２０…第１レ
ンズアレイ、１２１，１２１ａ，１２１ｂ，９２１…第１小レンズ、１２２，１２４…レ
ンズアレイユニット、１２６…透光部材、１２８…接着剤、１３０，１３０ａ，１３０ｂ
，９３０…第２レンズアレイ、１３１，１３１ａ，１３１ｂ，９３１…第２小レンズ、１
４０，９４０…偏光変換素子、１５０，１５０ａ…重畳光学系、１６０…第１重畳レンズ
、１６０ａ，９５０…重畳レンズ、１７０，１７０ａ…第２重畳レンズ、１７２，１７２
ａ…第１凸レンズ、１７４，１７４ａ…第２凸レンズ、２００…色分離導光光学系、２１
０，２２０…ダイクロイックミラー、２３０，２４０，２５０…反射ミラー、２６０，２
７０…リレーレンズ、２８０Ｒ，２８０Ｇ，２８０Ｂ…フィールドレンズ、４００Ｒ，４
００Ｇ，４００Ｂ…電気光学変調装置、５００…クロスダイクロイックプリズム、６００
…投写光学系、９００，１０００，１００２，１００４，１００６，１００８…プロジェ
クタ、９０２…照明装置、９１４…放物面リフレクタ、ｆ１…第２小レンズの焦点距離、
ｆ２…重畳レンズの焦点距離、ｆ３…重畳光学系としての焦点距離、ＳＣＲ…スクリーン
【図１】
2006163103.tif 000003
【図２】
2006163103.tif 000004
【図３】
2006163103.tif 000005
【図４】
2006163103.tif 000006
【図５】
2006163103.tif 000007
【図６】
2006163103.tif 000008
【図７】
2006163103.tif 000009